(57)【特許請求の範囲】
【請求項１】
前面に開口を有する加熱室を備えた調理器本体と、
前記調理器本体の前面に設けられたものであって、ヒンジによって前記調理器本体に対して上下方向に回動可能に連結され、前記開口を開閉する扉と、
前記扉の後面の下方部に設けられた水受け部とを備えた加熱調理器において、
前記扉は、その下部に、蒸気が浸入可能な空間と、前記空間と連通する切欠とを有し、前記空間内の下部には、前記空間に浸入した蒸気が結露して生じた水を前記水受け部に導くガイド部が設けられ、
前記切欠は、前記扉が前記開口を閉じた状態において、当該扉の下面の前後方向に延び、且つ、前記開口側に開放されるように形成され、
前記水受け部は、その前端が前記切欠の前端よりも後方に位置するように設けられ、
前記ガイド部は、前記空間内の下部のうち前記切欠の隣に設けられ前後方向に延びるリブから構成され、
前記ヒンジは、前記切欠を介して前記扉と前記調理器本体とを連結していることを特徴とする加熱調理器。
【請求項２】
前記ガイド部は、前記リブと、前記空間内の下部のうち前記リブの隣に設けられ前後方向に延びる溝部とから構成されていることを特徴とする請求項１記載の加熱調理器。
【請求項３】
前記扉の後面の下部に設けられ後方に突出する凸条部を有することを特徴とする請求項１または請求項２に記載の加熱調理器。
【発明の詳細な説明】
【技術分野】
【０００１】
本発明は、加熱室内に被加熱物を収容して加熱調理する加熱調理器に関する。
【背景技術】
【０００２】
電子レンジや電気オーブンのように加熱室に食品を収容して加熱調理を行う加熱調理器では、加熱調理時に発生した蒸気は、扉が開放されるまで外部に排出されることがない。従って、加熱調理が終了するまでの間に、蒸気の多くは加熱室の内壁や扉に付着して結露する。特に、扉に付着した結露水は当該扉を伝って加熱調理器の設置面に滴下するため、調理終了毎に設置面に滴下した結露水を使用者が拭き取る必要があった。
そこで、例えば扉下部の脚カバーに結露水を受けるための凹部を設けて、結露水を簡単に処理できるようにした加熱調理器が提供されている（例えば特許文献１参照）。
【特許文献１】特開２００４−３４７２５０号公報
【発明の開示】
【発明が解決しようとする課題】
【０００３】
ところで、加熱調理器の扉は、通常、内枠と外枠とを組み合わせてなる中空状の扉から構成されている。前記内枠及び外枠の中央には、それぞれガラス板が保持されており、前記ガラス板を通して加熱室の内部の様子を観察することができるようになっている。
この場合、外枠と内枠との継目部分や外枠及び内枠とガラス板との境界部分の多くはパッキンによりシールされており、扉の内部に水が侵入することが防止されているが、扉の構造上、シール性が低い部分が一部存在する。このため、加熱調理中に発生した蒸気が扉の内部に侵入し、結露して設置面に滴下するという問題があった。
【０００４】
そこで、本発明の目的は、扉内の空間に浸入した蒸気の結露水を適切に処理することができる加熱調理器を提供することである。
【課題を解決するための手段】
【０００５】
本発明は、前面に開口を有する加熱室を備えた調理器本体と、前記調理器本体の前面に設けられたものであって、ヒンジによって前記調理器本体に対して上下方向に回動可能に連結され、前記開口を開閉する扉と、前記扉の後面の下方部に設けられた水受け部とを備えた加熱調理器において、前記扉は、その下部に、外部から蒸気が浸入可能な空間と、前記空間と連通する切欠とを有し、前記空間内の下部に、前記空間に浸入した蒸気が結露して生じた水を前記水受け部に導くガイド部を設け、前記切欠は、前記扉が前記開口を閉じた状態において、当該扉の下面の前後方向に延び、且つ、前記開口側に開放されるように形成され、前記水受け部は、その前端が前記切欠の前端よりも後方に位置するように設けられ、前記ガイド部は、前記空間内の下部のうち前記切欠の隣に設けられ前後方向に延びるリブから構成され、前記ヒンジは、前記切欠を介して前記扉と前記調理器本体とを連結していることを特徴とする。
【発明の効果】
【０００６】
本発明によれば、加熱調理時に発生した蒸気が扉内の空間に侵入し、結露して生じた水は、ガイド部によって水受け部に導かれる。従って、前記扉の空間内に結露水が溜まったり、扉の空間内に溜まった水が漏出して加熱調理器の周辺を濡らしてしまったりすることを防止できる。
【発明を実施するための最良の形態】
【０００７】
以下、本発明の具体的な実施形態について図面を参照しながら説明する。
図１ないし図８は本発明の第１の実施形態を示している。第１の実施形態に係る加熱調理器は、マイクロ波加熱によるレンジ調理及びヒータ加熱によるオーブン調理が実行可能な構成であり、図１及び図２に示すように、加熱室１を有する矩形箱状の調理器本体２と、前記調理器本体２の前面に取付けられ前記加熱室１の前面開口を開閉する扉３とを有している。調理室１には加熱対象の食品が収容される。
【０００８】
調理器本体２は、その下面に取付けられた複数の脚部（図示せず）により支持されている。調理器本体２の下部の前部には、前記脚部や調理器本体２の下方部分を隠蔽して正面（前面）からの外観的な意匠的効果を上げるための脚カバー４が装着されている。
図３に示すように、脚カバー４の上端には前記脚カバー４の左右方向いっぱいに延びる樋状の水受け部５が一体成形されている。前記水受け部５は調理器本体２の前面及び扉３の後面の下部に位置しており、加熱調理時に食品から発生した蒸気が結露して生じた水を受けるようになっている。前記水受け部５は、脚カバー４の意匠的効果を損なわないように、前後方向の幅寸法を極力小さくしている。
【０００９】
一方、図２に示すように、調理器本体２の下部の前方右寄り部分には着脱可能な貯水容器６が配置されている。前記貯水容器６は、脚カバー４を取外した状態で着脱されるようになっている。前記水受け部５は排水孔（図示せず）を有し、前記排水孔は導水路（図示せず）を介して貯水容器６に連通している。水受け部５の底面は排水孔に向かって下方に傾斜しており、水受け部５で受けられた結露水は前記排水孔から導水路を通って貯水容器６に流れ込み、貯留される。
【００１０】
また、前記扉３は、外部から加熱室１内を視認するための窓部７を有している。扉３の前面の上部には把持部８が設けられており、下部には操作パネル９が設けられている。操作パネル９には、調理メニューや調理時間などの調理条件を設定するためのツマミやキー、調理状態や設定内容を表示するための表示部が設けられている。
扉３と調理器本体２とは、前記扉３の後面下部の左右部と前記調理器本体２の前面下部の左右部との間に取付けられた一対のヒンジ１０によって連結されている。上記構成により扉３は上下方向に回動させて加熱室１の前面開口を開閉できるようになっている。
【００１１】
図３は扉３の下部の周辺部分を拡大して示す縦断側面図である。この図３に示すように、扉３は扉本体１１と前記扉本体１１の後部に固定された遮蔽板１２とから構成され、全体として略中空状となっている。扉本体１１は、矩形筒状の本体フレーム１３と、前記本体フレーム１３の前面開口を塞ぐように当該本体フレーム１３の前面に装着されたガラス板１４とを有している。本体フレーム１３内の下部には、支持フレーム１５を介して操作パネル８の制御ユニット等（図示せず）が収容されている。前記支持フレーム１５は、ねじ１６により本体フレーム１３に固定されており、支持フレーム１５と本体フレーム１３との間にはパッキン１７が介装されている。これにより、本体フレーム１３と支持フレーム１５との間の空間には蒸気が浸入しないようになっている。また、本体フレーム１３の後端部の下面には後方に突出する凸条部１８が設けられている。
【００１２】
一方、遮蔽板１２は、本体フレーム１３の後端部に固定され扉本体１１（支持フレーム１５）との間に金属板１９を保持する枠部２０と、前記金属板１９の後面に取付けられたガラス板２１とから構成されている。前記金属板１９は、その中央部が前方に膨出しており、この膨出部に多数の小孔２２が形成されている。前記ガラス板２１は前記膨出部に固定され、前記小孔２２を塞いでいる。ガラス板２１は、その周縁部が接着剤２３で金属板１９に固定されている。前記接着剤２３はパッキンとして機能するものであり、これによりガラス板２１と金属板１９との間に蒸気が浸入しないようになっている。また、金属板１９の周縁部と扉本体１１との間にはパッキン２４が介装されており、扉３内の大部分に蒸気が浸入しないようになっている。
【００１３】
上述したように、複数のパッキン１７、２４や接着剤２３等によって扉３内のうち図３に破線で示した空間Ｓを除く部分には蒸気が浸入しないようになっている。言い換えると、空間Ｓには蒸気が浸入する。そこで、本実施形態では、前記空間内に浸入した蒸気が結露して生じた水を前記水受け部５に導くガイド部が扉３内の下面に設けられている。
【００１４】
以下、図４及び図５を参照しながら前記ガイド部について説明する。図４は扉本体１１の本体フレーム１３を後方から見て示す概略的な斜視図であり、図５は本体フレーム１３の下部の一部を拡大して示す図である。図４及び図５に示すように、本体フレーム１３の下部には３個の切欠２５が形成されている。このうち、左右両側に位置する切欠２５は前記ヒンジ１０を取付けるためのものであり、残りの切欠２５は制御ユニットの配線用の切欠である。
【００１５】
そして、本体フレーム１３の下部上面のうち全ての切欠２５の左右両側には、それぞれ前後方向に延びるリブ２６及び溝部２７が設けられている。リブ２６及び溝部２７はいずれも図５にのみ示している。前記リブ２６は、切欠２５のすぐ隣に設けられ、本体フレーム１３の前後方向の幅いっぱいに延びるように構成されている。一方、溝部２７は本体フレーム１３の下部上面の前端部よりもやや後寄りの部分から後端部まで延びており、その底面は後方に向かって下方に傾斜する傾斜面となっている。前記リブ２６及び溝部２７が本発明のガイド部として機能する。
尚、具体的な図示は省略するが、本実施例に係る加熱調理器は、マイクロ波を発生させるマグネトロンやオーブン調理用のヒータ等を備えている。
【００１６】
次に、上記構成の作用、効果について図６ないし図９を参照しながら説明する。
加熱調理が実行され、加熱室１内の食品の加熱が進むと当該食品から蒸気が発生する。食品から発生した蒸気は加熱室１内に充満し、加熱室１の内壁や扉３の後面に付着したり、扉３内の空間Ｓに侵入したりする。
加熱室１の内壁に付着した蒸気が結露して生じた水は内壁を伝って加熱室１の底面に溜まる。底面に溜まった結露水の一部は、調理器本体２の下部前面を伝って下方に滴下し、水受け部５で受けられる。また、扉３の後面に付着した結露水は扉３の後面を伝って下部に至り、水受け部５に滴下する。そして、水受け部５で受けられた結露水は、貯水容器６に流入し、貯留される。
【００１７】
一方、空間Ｓに侵入した蒸気は、金属板１９や枠部２０、本体フレーム１３、支持フレーム１５等に付着して結露し、水になる。空間Ｓ内で生じた結露水は、本体フレーム１３の下部上面に至り、本体フレーム１３と枠部２０との繋ぎ目部分から下方に滴下し、水受け部５に受けられる。また、本体フレーム１３の下部上面に至った結露水のうち溝部２７の近傍の結露水は、図６に示すように、溝部２７の底面に沿って本体フレーム１３の後端に向かい、水受け部５に滴下する。従って、切欠２５の近傍に結露水が溜まることがない。しかも、リブ２６により本体フレーム１３の下部上面の結露水が切欠２５に入り込むことを極力防止できる。
【００１８】
ところで、図７は、切欠の近傍にリブ及び溝部が設けられていない従来の加熱調理器において、扉内に浸入した蒸気の結露水が排出される様子を示している。図７に示すように、従来の加熱調理器では、本体フレーム１３の下部上面に至った結露水の一部は切欠２５から下方に滴下してしまう。切欠２５は、本体フレーム１３の下部の後端から前端近くまで延びており、空間Ｓ内で結露した水を確実に受けるためには、水受け部５の前端が切欠２５の前端の下部近くに位置するように水受け部５の前後方向幅寸法を大きくする必要がある。
【００１９】
これに対して、本実施形態では、リブ２６及び溝部２７により本体フレーム１３の下部上面の結露水が切欠２５から滴下されないように構成したため、水受け部５の前後方向の幅寸法を大きくすることなく、扉３内の空間Ｓで発生した結露水を確実に受けることができる。
【００２０】
また、本実施形態では、本体フレーム１３の後端部の下面に凸条部１８を設けた。このため、扉３が開放されたときに扉３の後面下部に向かう結露水は前記凸条部１８に受けられ（図８に示す状態）、扉３の下面に回り込むことが阻止される。尚、凸条部１８で受けられた結露水は、扉３が閉じられるまで凸条部１８に保持され、扉３が閉じられた後、水受け部５に滴下することになる。
【００２１】
一方、図９に示すように、凸条部１８を設けていない場合は、扉３が開放されたときに扉３の後面下部に向かう結露水は、扉３の下面に回りこんだ後、扉３の前面下部から滴下する。扉３の前面下部の下方には水受け部５が存在しないため、扉３の前面下部から滴下した結露水は加熱調理器の設置面を濡らしてしまうことになる。
従って、前記凸条部１８を設けたことによっても、水受け部５の前後方向の幅寸法を大きくすることなく、加熱調理時に発生した蒸気の結露水を確実に受けることができ、設置面が結露水で濡れてしまうことを防止できる。
【００２２】
図１０は本発明の参考形態を示すものであり、第１の実施形態と異なるところを説明する。尚、第１の実施形態と同一部分には同一符号を付している。参考形態では一対のリブ２６に代えて１個のガイド部３１をヒンジ用の切欠２５の近傍に設けている。前記ガイド部３１は、切欠２５の上を横切るように本体フレーム１３の側部と本体フレーム１３の下部上面との間に架け渡されている。具体的には、図１０に示すように、扉３の例えば右部に位置するヒンジ用の切欠２５（図１０は、扉３の本体フレーム１３を後方から見たものであり、左右が逆になっている）においては、前記切欠２５の左部の本体フレーム１３の下部上面と本体フレーム１３の右側部との間に前記ガイド部３１は架け渡されている。
【００２３】
前記ガイド部３１は、本体フレーム１３の下部上面から垂直に立ち上がる垂直面部３１ａ、本体フレーム１３の側部から水平方向に延びる水平面部３１ｂ、前記垂直面部３１ａと水平面部３１ｂとを繋ぐ傾斜面部３１ｃ、水平面部３１ｂ及び傾斜面部３１ｃの後端部から垂直に立ち上がる立壁部３１ｄから構成されている。
【００２４】
また、本実施形態では、一対の溝部２７に代えて１個の溝部３２がヒンジ用の切欠２５の近傍の本体フレーム１３の下部上面に設けられている。前記溝部３２の底面は、溝部２７同様に傾斜面となっている。前記溝部３２は、切欠２５との間に前記ガイド部３１を挟むように本体フレーム１３の下部上面に設けられている。具体的には、扉３の右部に位置するヒンジ用の切欠２５においては、前記切欠２５の左部の本体フレーム１３の下部上面であって前記ガイド部３１よりも左部に形成されている。
【００２５】
本実施形態では、ガイド部３１及び溝部３２からガイド部が構成される。
上記構成によれば、本体フレーム１３の内面を伝って切欠２５近傍に至る結露水はガイド部３１の水平面部３１ｂ及び傾斜面部３１ｃに受けられ、水平面部３１ｂ、傾斜面部３１ｃ、垂直面部３１ａを伝って溝部３２に向かう。その後、溝部３２の底面に沿って本体フレーム１３の後端に向かい、水受け部５に滴下する。
【００２６】
尚、立壁部３１ｄは本体フレーム１３の後端よりもやや前方に位置しているが、本体フレーム１３内であって立壁部３１ｄの後部に位置する部分には遮蔽板１２の枠部２０等が配置される（図３参照）。このため、立壁部３１ｄよりも後方から結露水が切欠２５に流れ込むことはなく、立壁部３１ｄにより水平面部３１ｂ及び傾斜面部３１ｃ上の結露水が切欠２５の方に向かうことも阻止される。従って、切欠２５から結露水が滴下することを確実に防止できる。
【００２７】
また、本発明は上記した実施形態に限定されるものではなく、例えば次のような変形が可能である。
図１１に示すように、貯水容器６の上面に蓋４１を設けても良い。蓋４１を設けたことにより、貯水容器６に溜まった結露水を捨てる際に貯水容器６内の水をこぼしてしまうことを防止できる。
【００２８】
ガイド部はリブ２６やガイド部３１のみから構成しても良い。また、溝部２７，３２のみからガイド部を構成することも可能である。
本体フレーム１３の左右方向中央付近の配線用切欠２５についても、リブ２６に代えてガイド部３１を設けても良い。この場合、アーチ状のガイド部３１を、切欠２５を跨ぐように本体フレーム１３の下部上面に設けると良い。
【００２９】
本発明は、加熱調理時に加熱室内に蒸気を供給する蒸気供給装置を備え、いわゆるスチーム加熱調理が可能な加熱調理器にも適用できる。このような加熱調理器では、スチーム加熱調理時に扉内の空間に大量の蒸気が浸入するため、ガイド部を設けて前記空間内の結露水を積極的に水受け部に導く構成は有効な構成である。
本発明は電気調理器に限らずガス調理器にも適用できる。
【図面の簡単な説明】
【００３０】
【図１】本発明の第１の実施形態を示すものであり、扉を開放した状態で示す電子レンジの斜視図
【図２】電子レンジの正面図
【図３】扉の下部の周辺部分を拡大して示す縦断側面図
【図４】扉本体の本体フレームを後方から見て示す斜視図
【図５】扉本体の本体フレームの切欠部周辺を拡大して示す斜視図
【図６】扉内に浸入した蒸気の結露水が溝部を通って排出される様子を説明するための図
【図７】従来の電子レンジにおける図６相当図
【図８】扉の後面に付着した結露水が凸条部に受けられる様子を説明するための図
【図９】従来の電子レンジにおける図８相当図
【図１０】本発明の参考形態を示すものであり、扉の本体フレームの一部を拡大して示す斜視図
【図１１】本発明の変形形態を示すものであり、調理器本体の下部から貯水容器を取り出して示す斜視図
【符号の説明】
【００３１】
図面中、１は加熱室、２は調理器本体、３は扉、５は水受け部、１８は凸条部、２５は切欠、２６はリブ（ガイド部）、２７、３２は溝部（ガイド部）、３１はガイド部、Ｓは空間を示す。
【図１】
0004599267.tif 000002
【図２】
0004599267.tif 000003
【図３】
0004599267.tif 000004
【図４】
0004599267.tif 000005
【図５】
0004599267.tif 000006
【図６】
0004599267.tif 000007
【図７】
0004599267.tif 000008
【図８】
0004599267.tif 000009
【図９】
0004599267.tif 000010
【図１０】
0004599267.tif 000011
【図１１】
0004599267.tif 000012